(57)【要約】飛行機や他のタイプの乗物で利用する旅客娯楽システム、及び同システムを形成し利用する方法である。娯楽システムは、少なくとも一つのファイルライブラリを有するデータベースシステムと通信できる移動式娯楽装置を含む。データベースシステムと通信するとき、娯楽装置はファイルライブラリから一つ又はそれ以上のファイルを選択しダウンロードできる。選択ファイルがダウンロードされると、娯楽装置は、データベースシステムとの通信が維持されているか否かに関わりなくファイルを提示できる。娯楽装置が乗物に搭載されると、例えば、乗物内の旅客は旅行中に選択ファイルを携帯用パーソナル娯楽システムにダウンロードでき、該携帯用パーソナル娯楽システムは娯楽装置から切り離されてもファイルを保持できる。これにより旅客は、乗物からパーソナル娯楽システムを取り外すことにより、乗物を降りた後を含む、何時であってもファイルを見ることができる。
2006527540.tif 000002
【特許請求の範囲】
【請求項１】
娯楽装置であって、
アンテナシステムと、
上記アンテナシステムと繋がり、上記アンテナシステムを介して第１のデータベースシステムと通信するように構成されているトランシーバシステムと、
上記トランシーバシステムを介して第１のデータベースシステムと通信するための、パーソナル娯楽システムと通信するように構成されている通信ポートを有するユーザインタフェースと
を含み、
パーソナル娯楽システムは、上記通信ポートを介して第１のデータベースシステムから第１の選択されたファイルをダウンロードして格納し、パーソナル娯楽システムが上記通信ポートと通信状態にあるか否かに関わりなく第１の選択されたファイルを提示するように構成されていることを特徴とする娯楽装置。
【請求項２】
娯楽装置であって、
乗物上に配置され、第１のデータベースシステムと通信するように構成されている通信インタフェースと、
乗物上に配置され、上記通信インタフェースと通信し、パーソナル娯楽システムと通信するように構成されている通信ポートを有するユーザインタフェースと
を含む、
パーソナル娯楽システムは、上記通信ポートを介して第１のデータベースシステムから第１の選択されたファイルをダウンロードして格納し、パーソナル娯楽システムが上記通信ポートと通信状態にあるか否かに関わりなく第１の選択されたファイルを提示するように構成されていることを特徴とする娯楽装置。
【請求項３】
娯楽装置であって、
第１のデータベースシステムと、
乗物上に配置され、上記第１のデータベースシステムと通信するように構成されている通信インタフェースと、
乗物上に配置され、上記通信インタフェースと通信し、パーソナル娯楽システムと通信するように構成されている通信ポートを有するユーザインタフェースと
を含む、
パーソナル娯楽システムは、上記通信ポートを介して第１のデータベースシステムから第１の選択されたファイルをダウンロードして格納し、パーソナル娯楽システムが上記通信ポートと通信状態にあるか否かに関わりなく第１の選択されたファイルを提示するように構成されていることを特徴とする娯楽装置。
【請求項４】
乗物で旅行する間にファイルをダウンロードするための方法において、
通信インタフェースと通信するユーザインタフェースを設ける工程であって、上記ユーザインタフェース及び上記通信インタフェースが上記乗物上に搭載されている、工程と、
パーソナル娯楽システムを上記ユーザインタフェースと繋ぐ工程と、
上記通信インタフェースと第１のデータベースシステムの間に通信を確立する工程と、
第１のデータベースシステムのファイルを選択する工程と、
上記ファイルを上記データベースシステムから上記パーソナル娯楽システムへ上記ユーザインタフェースを介してダウンロードする工程と、
上記パーソナル娯楽システム内部に上記ファイルを格納する工程と、
パーソナル娯楽システムが上記ユーザインタフェースと通信状態にあるか否かに関わりなく上記パーソナル娯楽システムを介して上記ファイルを提示する工程と
を含むことを特徴とする方法。
【請求項５】
飛行機において、
胴体と、
胴体の内部に配置された旅客シートと、
上記胴体と結合する娯楽装置と
を含み、
上記娯楽装置は、
上記胴体と結合するアンテナシステムと、
上記アンテナシステムと繋がり、上記アンテナシステムを介して第１のデータベースシステムと通信するように構成されているトランシーバシステムと、
上記トランシーバシステムを介して第１のデータベースシステムと通信するためのユーザインタフェースであって、上記旅客シートと結合し、パーソナル娯楽システムと通信するように構成されている通信ポートを有するユーザインタフェースを含み、
パーソナル娯楽システムは、上記通信ポートを介して第１のデータベースシステムから第１の選択されたファイルをダウンロードして格納し、パーソナル娯楽システムが上記通信ポートと通信状態にあるか否かに関わりなく第１の選択されたファイルを提示するように構成されていることを特徴とする飛行機。
【請求項６】
上記娯楽装置は更に第２のデータベースシステムを含み、
上記第２のデータベースシステムは、
パーソナル娯楽システムが、上記通信ポートを介して第２のデータベースシステムから第２の選択されたファイルをダウンロードして格納し、パーソナル娯楽システムが上記通信ポートと通信状態にあるか否かに関わりなく第２の選択されたファイルを提示するべく構成されるように、
上記胴体と結合し上記ユーザインタフェースと通信するべく構成されていることを特徴とする請求項５に記載の飛行機。
【請求項７】
上記トランシーバシステム及び上記ユーザインタフェースが、配布システムを介して通信するように構成されていることを特徴とする請求項５に記載の飛行機。
【請求項８】
上記配布システムが無線配布システムを含むことを特徴とする請求項７に記載の飛行機。
【請求項９】
上記トランシーバシステムが衛星通信システムを介して第１のデータベースシステムと通信するように構成されていることを特徴とする請求項５に記載の飛行機。
【請求項１０】
上記トランシーバシステムがセル式通信システムを介して第１のデータベースシステムと通信するように構成されていることを特徴とする請求項５に記載の飛行機。
【請求項１１】
上記通信ポートが無線通信システムを介してパーソナル娯楽システムと通信するように構成されていることを特徴とする請求項５に記載の飛行機。
【発明の詳細な説明】
【発明の詳細な説明】
【０００１】
［発明の分野］
本発明は、娯楽システムに関し、特に、飛行機及び他のタイプの乗物で利用する旅客娯楽システムに関する。
【０００２】
［発明の背景］
自動車や飛行機などの乗物は、輸送中、旅客の娯楽への要求を満足する娯楽システムをしばしば提供する。
【０００３】
従来の旅客娯楽システムは、旅客により視聴コンテンツが選択可能であるようなオーバヘッドキャビン視聴システム若しくはシート裏視聴システムを含む。視聴コンテンツは、種々の源から得られる音及び映像の部材を含み得る。映画や音楽などの予め録画（録音）された視聴コンテンツは、乗物内に搭載された映像音声プレーヤなどの内部源により、与えられ得る。外部のコンテンツ源は、ライブのテレビ番組を含む付加的コンテンツを、無線通信システムを介して、娯楽システムに転送できる。
【０００４】
輸送スケジュールは消耗的であり予測不能であるので、旅客は視聴コンテンツを全体として楽しめないことがしばしばである。視聴コンテンツは、輸送中様々な理由のために中断され得る。例えば、あるライブのテレビプログラムの冒頭部分を見ることができないことがある。というのは、輸送の出発時間が番組の開始時刻と必ずしも相関しないからである。輸送が完了すると、視聴コンテンツが完全に終わる前に、旅客は同様に降りることが求められる。そのような視聴コンテンツの中断は旅客の苦情の源になることが多い。
【０００５】
先述のように、現今利用可能な娯楽システムに関する前記の障害及び欠点を克服する改良された娯楽システムに対する要求が、存在している。
【０００６】
［発明の概要］
本発明は、一つ又はそれ以上のデータベースシステムからファイルをダウンロードし、データベースとの通信が維持されているか否かに関わらずダウンロードされたファイルを提供するように構成された娯楽システムに関する。
【０００７】
娯楽システムは、一つ又はそれ以上のデータベースシステムと移動式娯楽装置を含む、個々のデータベースシステムは少なくとも一つのファイルライブラリを含み、娯楽装置と通信するように構成されている。一つ又はそれ以上のデータベースシステムと通信状態にあるときは、娯楽装置は利用可能なファイルライブラリから一つ又はそれ以上のファイルを選択でき、選択されたファイルをダウンロードできる。選択されたファイルがダウンロードされてしまえば、娯楽装置は、データベースシステムとの通信が維持されているか否かにかかわらずファイルを提示するように構成されている。
【０００８】
娯楽装置は、移動式娯楽装置を含むのが好ましいのであるが、携帯用の手持ちデバイスとして設けられ、及び／又は、自動車や飛行機などの乗物内に搭載され得る。娯楽装置が乗物に搭載されると、例えば、乗物内の旅客は旅行中に選択ファイルをダウンロードできる。ファイルは携帯用パーソナル娯楽システム内に格納され、該携帯用パーソナル娯楽システムは娯楽装置と着脱自在に繋がり娯楽装置から切り離されてもファイルを保持できるのが、好ましい。これにより旅客は、乗物からパーソナル娯楽システムを取り外すことにより、旅行が終わり乗物を降りた後を含む、何時であってもファイルを見ることができる。
【０００９】
本発明の他の携帯及び特徴は、添付の図面に関連して為された説明を考慮することから、明白となる。
【００１０】
図面はスケールを合わせて描かれているのではなく、同様の構造若しくは機能の要素は図面全体において説明のために同じ参照番号で概略表されているということに、留意されたい。更に、図面は本発明の好適な実施形態の説明を助長することのみを意図している、ということにも留意されたい。素面は本発明のあらゆる形態を示すものではなく本発明の範囲を限定するものではない。
【００１１】
［好適な実施形態の詳細な説明］
現今利用可能な娯楽システムは限定されたファイルダウンロード能力しか備えないので、広範囲のダウンロード能力をもたらし、旅客がダウンロードされたファイルを輸送完了時に保留しておける娯楽システムは非常に望ましいものであり、飛行機や他のタイプの乗物で利用する旅客娯楽システムなどの娯楽システム利用例の広範囲のものに対する基礎となり得る。この結果は、本発明の一つの実施形態、図１に示す娯楽システム１００を利用することによって、達成され得る。
【００１２】
娯楽システム１００は少なくとも一つのデータベースシステム２００を含み、該データベースシステム２００の各々は移動式娯楽システム３００と通信するように構成されている。個々のデータベースシステム２００は一つ又はそれ以上のファイルライブラリ（図示せず）を格納し提供するように構成されている。ファイルライブラリは、娯楽システム３００にダウンロードできるようにされているのであるが、適当なタイプのファイルを含み、適切なアナログ及び／又はデジタルファイルフォーマットで提供されるようになっている。ファイルライブラリは非圧縮フォーマットで提供されてもよいが、ファイルダウンロードを促進するようにファイルライブラリは圧縮フォーマットで提供されてもよい。
【００１３】
例えば、ファイルライブラリは、音楽又はオーディオブックなどのオーディオファイル、及び／又は映画、テレビ番組若しくは他のどのタイプの視聴覚作品をも含む娯楽ファイルを含んでもよい。ビデオファイルの例示のファイルフォーマットは、オーディオビデオインタリーブ（ＡＶＩ）フォーマット、ジョイントフォトグラフィックエキスパーツグループ（ＪＰＥＧ）フォーマット、及び、ムービングピクチャエキスパーツグループ（ＭＰＥＧ）フォーマットを含み、一方で、ウエーブフォーム（ＷＡＶ）フォーマット及びＭＰＥＧオーディオレイヤ３（ＭＰ３）フォーマットはオーディオファイルの典型フォーマットを含む。メディアプレーヤプログラムやゲームなどのアプリケーションソフトウエアファイル、及び／又は、フォーム若しくはレファレンスマテリアルなどのテキストファイルを含む、他のタイプのファイルが、データベースシステム２００に含まれてもよい。通常、アプリケーションソフトウエアファイルは、実行形式（ＥＸＥ）フォーマットで与えられ、テキストファイルのための例示のファイルフォーマットは、ドキュメントテキストファイル（ＤＯＣ）フォーマット、ポータブルドキュメントフォーマット（ＰＤＦ）、及びテキストファイル（ＴＸＴ）を含む。
【００１４】
娯楽装置３００は、例えば、自動車や飛行機などの乗物に搭載され、及び／又は、携帯用の、手持ちデバイスとして与えられる、可動式娯楽装置を含む。一つ又はそれ以上のデータベースシステム２００と通信するとき、娯楽装置３００は、利用可能なファイルライブラリから一つ又は複数のファイルを選択し、選択されたファイルを、好ましくはリアルタイムで、ダウンロードするように、構成される。選択されたファイルがダウンロードされると、娯楽装置３００はファイルを格納でき、データベースシステム２００との通信が維持されているか否かに関わりなく、ファイルを提供できる。
【００１５】
図１に示すように、娯楽装置３００は、データベースシステム２００からファイルを選択し選択されたファイルの娯楽装置３００へのダウンロードを制御するための、少なくとも一つのユーザインタフェース４００を、有してもよい。ユーザインタフェース４００を介すれば、ファイルの提示も同様に制御可能となり得る。もし、娯楽システム３００が（図７Ａ−図７Ｂに示すように）乗物８００に搭載されていれば、例えば、ユーザインタフェース４００は、ファイルを格納し提示するための（図６Ａ−図６Ｂに示す）パーソナル娯楽システムを含むのが好ましい。娯楽装置３００と遠隔状態で接合すると、パーソナル娯楽システム６００は、娯楽装置３００から切り離されていても、ファイルを保持できる。従って、ファイルは旅行の間にダウンロード可能であり、更に、乗物８００からパーソナル娯楽システム６００を取り外すことによって、旅行の終了後を含む任意の時期に提示することができる。
【００１６】
娯楽システム１００は、一つ又は複数のハードウエア部品及び／又はソフトウエア部品などによって、適切な方法で提供され得る。例えば、図２Ａを参照すると、データベースシステム２００Ａ及び娯楽装置３００Ａを含むものとして、娯楽システムＡ１００が示されている。例示として一つのデータベースシステム２００Ａ及び一つの娯楽装置３００Ａを有するものとして示され説明されているが、娯楽システム１００Ａは、複数のデータベースシステム２００Ａ及び娯楽装置３００Ａを含んでも良い。（図１に示す）データベースシステム２００Ａに関して上記のようにより詳細にいうと、データベースシステム２００Ａは（図示しない）一つ又は複数のファイルライブラリを格納し提供するように構成される。個々のファイルライブラリは適切などのタイプのファイルを含んでもよく、図１に関して上述したように娯楽装置３００Ａにダウンロードするのに利用可能である。
【００１７】
データベースシステム２００Ａは、通信信号５１０がデータベースシステム２００Ａと娯楽装置３００Ａとの間で交換され得るような適切な態様で、娯楽装置３００Ａと通信すべく構成され得る。例えば、データベースシステム２００Ａ及び娯楽装置３００Ａは、図２Ａに示す通信バス５００Ａなどの通信システム５００を介して繋がれても良い。有線通信システムを含む通信バス５００Ａは、データベースシステム２００Ａと娯楽装置３００Ａとを実質的に固定式で及び／又は着脱式で、繋ぐように構成されてもよく、ローカルエリアネットワーク（ＬＡＮ）及び／又はワイドエリアネットワーク（ＷＡＮ）などを含む、一つ又は複数の通信ケーブル及び／又はコンピュータネットワークなどの適切なタイプの有線通信システムを含んでも良い。
【００１８】
データベースシステム２００Ａは通信システム５００と、直接に若しくは間接的に、繋がれても良い。例えば、図２Ａに示すデータベースシステム２００Ａは、通信インタフェース２１０Ａを介して通信システム５００と繋がり、通信するように構成されている。通信インタフェース２１０Ａは、データベースシステム２００Ａと通信システム５００との間に実質的に配置され、データベースシステム２００Ａと通信システム５００との間、従って、娯楽装置３００Ａとの間の、通信信号５１０の交換を促進するように構成されている。通信システム５００が例えば（図示しない）電話ネットワークを含むならば、通信インタフェース２１０Ａは、データベースシステム２００Ａを電話ネットワークと繋げるためのモデムを含み得ることになる。データベースシステム２００Ａ内部に配置される用に図示し説明しているが、通信インタフェース２１０Ａはデータベースシステム２００Ａの内部に若しくは分離して、配置されればよい。
【００１９】
データベースシステム２００Ａと娯楽装置３００Ａとの間で交換される通信信号５１０は、適切などのタイプの通信信号を含んでもよく、一つ又は複数の出力通信信号５１０ａ及び／又は入力信号５１０ｂを含んでも良い。娯楽装置３００Ａは、出力通信信号５１０ａをデータベースシステム２００Ａに伝送すべく構成される。例示のタイプの出力通信信号５１０ａは命令及び問い合わせを含む。ファイルライブラリから一つ又は複数のファイルを選択する命令や、選択したファイルを娯楽装置３００にダウンロードすることを制御する命令等が、例として挙げられる命令である。典型的な問い合わせは、娯楽装置３００Ａがデータベースシステム２００Ａと通信できることを確かめる問い合わせ、及び／又は、データベースシステム２００Ａに関する、操作ステータス及び／又はファイルライブラリコンテンツなどのシステム情報を確かめる問い合わせなどである。
【００２０】
娯楽装置３００Ａは同様に、出力通信信号５１０ａを介してデータベースシステム２００Ａに種々のタイプの情報を提供し得る。情報は、典型的には、命令及び／又は問い合わせなどの情報要求に応答して、データベースシステム２００Ａから娯楽装置３００Ａにより提供される。所望のように、例えば、データベースシステム２００Ａとの通信が開始され娯楽装置３００Ａとデータベースシステム２００Ａの間の通信接続が処理されるべきときに、自動的に情報を提供するように、娯楽装置３００Ａが構成されてもよい。提供される情報は、娯楽装置３００Ａのための、例えば操作ステータス及び／又は利用可能メモリなどの、システム情報を含んでも良い。クレジットカード番号などの支払い情報、及び／又は個人識別番号（ＰＩＮ）若しくはパスワードなどの認証情報を含む、トランザクション情報が、娯楽装置３００Ａにより提供されても良い。娯楽装置３００Ａは、所望のように、データベースシステム２００Ａに他のタイプの情報を伝送できることも理解され得る。
【００２１】
更に、データベースシステム２００Ａは、入力通信信号５１０ｂを娯楽装置３００Ａに伝送するように構成される。上述の出力通信信号５１０ａのように、入力通信信号５１０ｂは、一つ又は複数の命令、問い合わせ、及び／又は他のタイプの情報を含み得る。例示の問い合わせとしては、データベースシステム２００Ａが娯楽装置３００Ａと通信できることを確かめる問い合わせ、及び／又は娯楽装置３００Ａのためのシステム情報を確かめる問い合わせなどが含まれる。
【００２２】
娯楽装置３００Ａに関して上述したように、データベースシステム２００Ａは、入力通信信号５１０ｂを介して種々のタイプの情報を娯楽装置３００Ａに提供できる。データベースシステム２００Ａは、命令及び／又は問い合わせなどの要求に応答して、及び／又は娯楽装置３００Ａとの通信の開始持に自動的に、娯楽装置３００Ａから情報を提供できる。情報は、データベースシステム２００Ａのためのシステム情報、ダウンロードのために選択される一つ又は複数のファイル、及び／又はデータベースシステム２００Ａで利用できるファイルライブラリカタログを、含み得る。カタログは、利用可能なファイルライブラリ内のファイルに関する、タイトル、ファイルサイズ、ダウンロード料金、コンテンツ説明、コンテンツ評価、及び親ラベルガイドライン要求などの、情報を提供できる。ダウンロードフィーが予め選択されたファイルに関するものであるならば、情報は、購入に先立ちファイルのコンテンツをプレビューできるように予め選択されたファイルのサンプル部分が無料でダウンロードできるか否かを、示すようにしてもよい。
【００２３】
データベースシステム２００Ａは、ライブラリファイルへのアクセスを許容する前に、認可を要求するように構成されるのが好ましい。例えば、データベースシステム２００Ａは、娯楽装置３００Ａからの正当な認可情報及び／又はトランザクション情報を受けたときにライブラリファイルアクセスを決定してもよい。所望のように、データベースシステム２００Ａは、全体ダウンロード料金を計算することによって、及び／又は支払い情報を処理することによって、トランザクション情報を処理し得る。データベースシステム２００Ａは、データベースシステム２００Ａからダウンロード可能であり及び／又はトランザクション情報に係る請求先アドレスに転送できるトランザクションレポートを、同様に生成できる。
【００２４】
娯楽システム１００Ａが、娯楽装置３００Ａがファイルをデータベースシステム２００Ａにアップロードすることを許容するように構成されているならば、出力通信信号５１０ａは、アップロードされるべき一つ又は複数のファイル、及びファイルに関する情報を含んでも良い。例えば、ファイル情報は、ファイルに関するタイトル、ファイルサイズ、コンテンツ説明、及びコンテンツ評価などの情報を含んでもよく、データベースシステム２００Ａの適切なファイルライブラリ内にアップロードされたファイルを格納することを促進するために、用いられてもよい。データベースシステム２００Ａは、入力通信信号５１０ｂを娯楽装置３００Ａに同様に提供できるのであるが、その入力通信信号５１０ｂはファイルをアップロードするデータベースシステム２００Ａのステータスに関する情報である。情報は、データベースシステム２００Ａに関する、操作ステータス及び／又は利用可能メモリを含んでも良い。不適切な内容を伴うファイルがファイルライブラリの中に格納されることを抑制するため、データベースシステム２００Ａは、受容可能なコンテンツ評価に関する情報を娯楽装置３００Ａに提供してもよく、娯楽装置３００Ａが不適切な内容を伴うファイルをアップロードすることを禁じるようにしてもよい。
【００２５】
図２Ａに示すように、データベースシステム２００Ａは、ファイルライブラリを格納するための、及び選択されたファイルライブラリを娯楽装置３００Ａに提供するための、サーバシステム２２０を含む。サーバシステム２２０は、処理システム２２２及びメモリシステム２２４を含んでいるが、どのタイプのサーバシステムであってもよい。サーバシステム２２０は通常、連結されローカルエリアネットワーク（ＬＡＮ）及び／又はワイドエリアネットワーク（ＷＡＮ）などのコンピュータネットワークを介して通信するように構成された、パーソナルコンピュータシステムなどの、一つ又は複数のコンピュータシステムを含む。サーバシステム２２０は、サードパーティのコンテンツプロバイダからのファイルライブラリを含むコンテンツをインタネット２３０からデータベースシステム２００Ａが提供できるように、インタネット２３０と通信するように構成されるのが好ましい。サーバシステム２２０は、所望のように、コンテンツが付加され、修正され及び／又は消去されるのを許容するように、構成されてもよい。
【００２６】
メモリシステム２２４は、ファイルライブラリの少なくとも一部を格納し提供するように構成される。メモリシステム２２４は、ソフトウエア若しくはファームウエアなどの命令コード、中間計算結果、及び、処理システム２２２に関連する及び／又はデータベースシステム２００Ａの現下の及び／又は過去の操作ステータスに係るパフォーマンスデータに関連する他の情報を含む、他のタイプの情報も同様に格納し提供できる。メモリシステム２２４は、不揮発性メモリシステムを含むが、限定無く、電子、磁気、及び／又は光学格納媒体などのどの適切なタイプのメモリシステムをふくんでもよい。例えば、例示としての格納媒体は、一つ又は複数の静的ランダムアクセスメモリ（ＳＲＡＭ）、動的ランダムアクセスメモリ（ＤＲＡＭ）、電気的消去可能ＰＲＯＭ（ＥＥＰＲＯＭ）、フラッシュメモリ、ハードディスクドライブ（ＨＤＤ）、コンパクトディスク（ＣＤ）、及び／又はデジタルビデオディスク（ＤＶＤ）などを含んでも良い。
【００２７】
例えば、娯楽システム１００Ａが、データベースシステム２００Ａと娯楽装置３００Ａが通常のハウジング（図示せず）内部に配置された移動式・携帯用のシステムを含むならば、メモリシステム２２４は電子メモリ媒体を含むのが好ましい。けだし、携帯用システムは小サイズ且つ軽量であるべきだからである。対照的に、娯楽システム１００Ａが、機械的及び／又は光学的媒体が乗物のトランクなどの格納スペース内に配置された、自動車などの乗物に搭載されるならば、メモリシステム２２４は一つ又は複数の機械的及び／又は光学的媒体を含んでも良い。
【００２８】
処理システム２２２は、メモリシステム２２４と繋がり通信するように構成されているのだが、一つ又は複数のマイクロプロセッサ（μＰｓ）、中央処理装置（ＣＰＵ）、及び／又はデジタル信号プロセッサ（ＤＳＰ）などの、どのタイプの処理システムを含んでも良い。処理システム２２２は、娯楽装置３００Ａにより提供される出力通信信号５１０ａを受信し、出力通信信号５１０ａに応答して必要なだけ一つ又は複数の機能を実施するように構成されている。処理システム２２２は、機能の結果をメモリシステム２２４に、及び／又は、所望に応じて娯楽装置３００Ａに、提供できる。例えば、ダウンロードするためにファイルライブラリから一つ又は複数のファイルを選択する命令を娯楽装置３００Ａから受信すると、処理システム２２２はメモリシステム２２４から適切な命令を実行できる。従って処理システム２２２は選択ファイルをメモリシステム２２４内で特定し、選択ファイルを通信システム５００を介して娯楽装置３００Ａに提供できる。
【００２９】
娯楽装置３００Ａは、図２Ａに示す通信インタフェース３１０Ａなどの一つ又は複数の中間システムを介して、直接的に若しくは間接的に通信システム５００と、繋がり、通信するように構成され得る。通信インタフェース３１０Ａは、通信インタフェース２１０Ａに関して上述でより詳細に説明したように、実質的に設けられるのが好ましい。通信インタフェース３１０Ａは、娯楽装置３００Ａと通信システム５００との間に実質的に配置されるのであるが、娯楽装置３００Ａと通信システム５００、従ってデータベースシステム２００Ａの間の通信信号の交換を促進するように構成される。通信インタフェース３１０Ａは、娯楽装置３００Ａ内部に実質的に配置されるように図示され説明されているが、通信インタフェース３１０Ａは娯楽装置３００Ａから独立していても良い。
【００３０】
娯楽装置３００Ａは、データベースシステム２００Ａからファイルを選択するための、及び選択されたファイルの娯楽装置３００Ａへのダウンロードを制御するための、少なくとも一つのユーザインタフェース４００を有する。ユーザインタフェース４００は、一つ又は複数の中間システムを介して直接的に若しくは間接的に通信インタフェース３１０Ａ及び／又は通信システム５００と繋がり、通信するように構成され得る。例えば、娯楽装置３００Ａは、ユーザインタフェース４００と通信インタフェース３１０Ａを繋ぐコンピュータシステム３２０を伴うように、図２Ａで示される。コンピュータシステム３２０は、ユーザインタフェース４００から実質的に独立し示されているが、コンピュータシステム３２０はユーザインタフェース４００内部に実質的に配置されても良いと認められる。
【００３１】
コンピュータシステム３２０は、ユーザインタフェース４００により与えられる命令と、データベースシステム２００Ａにより与えられる入力通信信号５１０ｂを受信して処理し、出力通信信号５１０ａを提供するように構成されている。同じく、データベースシステム２００Ａからの入力通信信号５１０ｂは、コンピュータシステム３２０により受信され処理され得る。コンピュータシステム３２０は、ユーザインタフェース４００により与えられる命令に少なくとも一部基づいて、入力通信信号５１０ｂを処理し得る。所望のように、コンピュータシステム３２０は、ダウンロードされたファイルを含む入力通信信号５１０ｂなどの、入力通信信号５１０ｂを提示のためユーザインタフェース４００に与えることができる。
【００３２】
図２Ａに示すように、コンピュータシステム３２０は、メモリシステム３２４と繋がり通信するよう構成された処理システム３２２を、含んでも良い。処理システム３２２は、処理システム２２２に関して上述でより詳細に説明したようにどの適切なタイプの処理システムも含み得るが、ユーザインタフェース４００からの命令及び／又はデータベースシステム２００Ａから与えられる入力通信信号５１０ｂに基づき、必要に応じて一つ又は複数の機能を実施するように構成されている。上述のように、処理システム３２２は一連の命令を受信し実行することによって機能を実施できるのであるが、その命令はメモリシステム３２４に格納され与えられる命令コードの態様で提供され得る。処理システム３２２は、機能の結果をユーザインタフェース４００、メモリシステム３２４、及び／又は所望に応じてデータベースシステム２００Ａに与え得る。例えば、処理システム３２２は出力通信信号５１０ａをデータベースシステム２００Ａに与え得る。
【００３３】
メモリシステム３２４は、データベースシステム２００Ａからダウンロードされた選択ファイルを格納し、提示のためファイルをユーザインタフェース４００に与えるように構成されている。メモリシステム２２４に関して上述でより詳細に説明したように、メモリシステム３２４は、命令コード及び、処理システム３２２に関連する、及び／又は娯楽装置３００Ａの現下の及び／又は過去の操作ステータスに係るパフォーマンスデータに関連する、他の情報を含む、他のタイプの情報を格納し与えることができる。メモリシステム３２４は不揮発性メモリシステムを含むのであるが、メモリシステム２２４に関して上述にて説明したように、電子、磁気、及び／又は光学の格納媒体を含むどの適切なタイプのメモリを含んでも良い。ユーザインタフェース４００は、メモリシステム２２４にファイルが付加され、修正され及び／又はメモリシステム２２４から消去されるのを許容するように、構成されるのが好ましい。
【００３４】
図４Ａ−図４Ｂを参照して以下に詳細に説明するように、各々のユーザインタフェース４００は、ユーザ（図示せず）が娯楽システム１００Ａと相互に作用合うのを許容する用に構成され、（図４Ａに示す）インプットシステム４１０、（図４Ａに示す）インタフェースオーディオシステム４３０、及び／又は（図４Ａに示す）インタフェースビデオシステム４４０を含む。インプットシステム４１０は、ユーザが、利用可能なファイルから一つ又は複数のファイルを選択するための命令及び／又は選択ファイルの提示を制御するための命令などの、命令を娯楽装置３００Ａに通信することを許容する。インタフェースオーディオシステム４３０及びインタフェースビデオシステム４４０は夫々、ダウンロードされたファイルのオーディオ部分及びビデオ部分を提示するように構成されている。ダウンロードのために利用可能なファイルライブラリのメニューなどの他の情報は、インタフェースシステム４００を介してユーザに提示され得る。
【００３５】
図２Ｂを参照すると、例示としての娯楽システム１００Ａは、娯楽装置３００Ａと通信するように構成されているデータベースシステム２００Ｂを含む。一つのデータベースシステム２００Ｂと一つの娯楽装置３００Ｂを有するように示されているが、娯楽装置３００Ｂはデータベースシステム２００Ｂと娯楽装置３００Ｂをいくつ含んでも良いことがわかる。上述のように、データベースシステム２００Ｂは一つ又はそれ以上のファイルライブラリ（図示せず）を格納し含むように構成され、個々のファイルライブラリはどの適切なタイプのファイルを含んでもよく娯楽装置３００Ｂへダウンロードするのに利用可能である。
【００３６】
データベースシステム２００Ｂと娯楽装置３００Ｂは、図２Ａで示される衛星システム５００Ｂなどの無線通信システム５００を介して繋がれてもよい。衛星システム５００は、地上局（図示せず）と通信するように構成されている静止衛星（図示せず）をいくつ含んでもよい。データベースシステム２００Ｂと娯楽装置３００Ｂの各々が少なくとも一つの衛星の伝送範囲内であるとき、通信信号５１０は衛星システム５００を介してデータベースシステム２００Ｂと娯楽装置３００ｂの間で交換され得る。例示の目的のため衛星システム５００として示しているが、無線通信システム５００はセル式通信システム（図示せず）などのどの適切なタイプの無線通信システムを含んでもよいということがわかる。
【００３７】
（図２Ａで示す）データベースシステム２００Ａに関して上述で説明したように、データベースシステム２００Ｂは、ファイルライブラリを格納するための、及び選択ファイルライブラリを娯楽装置３００Ｂに与えるためのサーバシステム２２０を含む。サーバシステム２２０は、娯楽装置３００Ｂにより与えられる出力通信信号５１０ａを受信して処理し、図２Ａに関して上述で説明したように入力通信信号５１０ｂを与えるように構成されている。データベースシステム２００Ｂは、インタネット２３０と通信しインタネット２３０からコンテンツを得、更にコンテンツがファイルライブラリに付加され、修正され及び／又はファイルライブラリから消去されるように、構成されるのが好ましい。データベースシステム２００Ｂは、データベースシステム２００Ｂと娯楽装置３００Ｂの間の通信信号５１０の交換を促進するための通信インタフェース２１０Ｂを備えるものとして、示されている。通信インタフェース２１０Ｂは実質的にデータベースシステム２００Ｂの内部に設定されるように示されているが、実質的にデータベースシステム２００Ｂの内部に、若しくは独立して、設定されてもよい。
【００３８】
通信インタフェース２１０Ｂは、実質的にデータベースシステム２００Ｂと衛星システム５００Ｂの間に設定されるが、トランシーバシステム２１４と繋がり通信するように構成されているアンテナシステム２１２を含む。アンテナシステム２１２とトランシーバシステム２１４の各々は、適切なように設けられればよい。アンテナシステム２１２は、一つ又はそれ以上のアンテナ素子（図示せず）を有するのが好ましいのであるが、衛星システム５００Ｂを介して娯楽装置３００Ｂから出力通信信号５１０ｂを受信するように構成される。アンテナシステム２１２は出力通信信号５１０ｂをトランシーバシステム２１４に与えるが、該トランシーバシステム２１４は出力通信信号５１０ｂを所望のように処理するように構成されるのが好ましい。例示の処理として、出力通信信号５１０ｂにつき、デコードし、デモジュールし、及び／又はアナログデジタル変換することが、挙げられる。出力通信信号５１０ｂを処理すると、トランシーバシステム２１４は処理された出力通信信号５１０ｂをサーバシステム２２０に与える。
【００３９】
同様にアンテナシステム２１２は、データベースシステム２００Ｂにより与えられる入力通信信号５１０ａを伝送できる。サーバシステム２２０は、入力通信信号５１０ａを処理するように構成されているトランシーバシステム２１４に入力通信信号５１０ａを与える。例えば、トランシーバシステム２１４は所望のように、入力通信信号５１０ａをエンコードし、モジュールし、及び／又はアナログデジタル変換することができる。トランシーバシステム２１４は、衛星システム５００Ｂに送信するために、入力通信信号５１０ａをアンテナシステム２１２に与える。通信信号５１０が交換されると、アンテナシステム２１２は実質的に衛星システム５００Ｂ内の一つ又はそれ以上の衛星に向けて指令される。アンテナシステム２１２が衛星システム５００Ｂにより送信される出力通信信号５１０ｂを自動追跡するなどの公知の方法で衛星を追跡できるようにアンテナシステム２１２を操縦するためのアンテナコントローラ（図示せず）を、アンテナシステム２１２が備えるのが好ましい。
【００４０】
例示のために図２Ａのデータベースシステム２００Ａや図２Ｂのデータベースシステム２００Ｂを含むものとして示されているが、（図１に示す）データベースシステム２００はどのタイプのデータベースシステム２００を含んでもよく例示の実施形態に限定されないことは、理解される。例えば、データベースシステム２００Ｂは実質的に衛星システム５００Ｂに統合されてもよい。幾分異なるように述べられているが、データベースシステム２００Ｂは、衛星システム５００Ｂを形成する一つ又はそれ以上の静止衛星及び／又は地上局の実質的内部に、配置されてもよい。データベースシステム２００Ｂが実質的に静止衛星の内部に配置されるならば、通信信号５１０、従って選択ファイルは、衛星システム５００Ｂから娯楽装置３００Ｂに直接にダウンロードされ得る。
【００４１】
娯楽装置３００Ｂを参照すると、娯楽装置３００Ｂはコンピュータシステム３２０と少なくとも一つのユーザインタフェース４００を有するが、各々は（図２Ａに示す）娯楽装置３００Ａに関して上述で説明したように設定される。上述のように、コンピュータシステム３２０は、ユーザインタフェース４００により与えられる命令とデータベースシステム２００Ａにより与えられる入力通信信号５１０ｂとを受信し処理するように構成されており、一方でユーザインタフェース４００は、ユーザが娯楽システム１００Ｂと相互に作用することを許容するように構成されている。娯楽装置３００Ｂは、データベースシステム２００Ｂと娯楽装置３００Ｂの間での通信信号５１０の交換を促進するための通信インタフェース３１０Ｂを備えるように、図示されている。実質的に娯楽装置３００Ｂの内部に配置されるように示されているが、通信インタフェース３１０Ｂは、実質的に娯楽装置３００Ｂの内部に配置されてもよく、独立して配置されてもよい。
【００４２】
通信インタフェース３１０Ｂは実質的に娯楽装置３００Ｂと衛星システム５００Ｂの間に配置される。通信インタフェース３１０Ｂは、実質的に通信インタフェース３１０Ａに関して説明したように設けられるのが好ましいのであるが、トランシーバシステム３１４と繋がり通信するように構成されるアンテナシステム３１２を含む。アンテナシステム３１２は、衛星システム５００Ｂを介してデータベースシステム２００Ｂから入力通信信号５１０ａを受信するように構成され入力通信信号５１０ａをトランシーバシステム３１４に与える。このトランシーバシステム３１４は入力通信信号５１０ａを処理するように構成されている。例えば、トランシーバシステム３１４は、入力通信信号５１０ａを所望のように、デコードし、でモジュールし、及び／又はアナログデジタル変換する。入力通信信号５１０ａを処理すると、トランシーバシステム３１４は処理された入力通信信号５１０ａをコンピュータシステム３２０に与える。
【００４３】
同様にコンピュータシステム３２０により与えられる出力通信信号５１０ｂは、アンテナシステム３１２によりデータベースシステム２００Ｂへ衛星システム５００Ｂを介して伝送され得る。コンピュータシステム３２０は、出力通信信号５１０ｂをトランシーバシステム３１４に与え、該トランシーバシステム３１４は出力通信信号５１０ｂを処理する。例示としての処理には、出力通信信号５１０ｂを所望のようにエンコードし、モジュールし、及び／又はアナログデジタル変換することが含まれ得る。トランシーバシステム３１４は、衛星システム５００Ｂへの伝送のため、処理された出力通信信号５１０ｂをアンテナシステム３１２に与え得る。通信信号５１０が交換されると、アンテナシステム３１２が、衛星システム５００Ｂ内の一つ又はそれ以上の衛星に向けて実質的に指令される。娯楽装置３００は移動式であるから、衛星システム５００Ｂにより送信される入力通信信号５１０ａを自動追跡するなどの公知の方法で衛星を追跡できるようにアンテナシステム３１２を操縦するためのアンテナコントローラ（図示せず）を、アンテナシステム３１２が備えるのが好ましい。例示のために図２Ａの娯楽装置３００Ａや図２Ｂの娯楽装置３００Ｂを含むものとして示されているが、（図１に示す）娯楽装置３００はどのタイプの娯楽装置３００を含んでもよく例示の実施形態に限定されないことは、理解される。
【００４４】
図１の娯楽システム１００は複数のデータベースシステム２００と通信でき、該データベースシステム２００はどの適切な組み合わせ及び／又は構成で設定されてもよい、ということがわかる。例えば、図３Ａ−図３Ｂに示すように、娯楽システム１００Ｃ、１００Ｄは、一つ又はそれ以上のデータベースシステム２００Ａと有線通信する状態にあり、及び／又は一つ又はそれ以上のデータベースシステム２００Ｂと無線通信する状態にあるように、構成され得る娯楽装置３００Ｃ、３００Ｄを含む。図３Ａを参照すると、娯楽システム１００Ｃは、データベースシステム２００Ａ、第１のデータベースシステム２００Ｂ’、及び第２のデータベースシステム２００Ｂ”と通信するように構成される娯楽装置３００Ｃを含む。個々のデータベースシステム２００Ａ、２００Ｂ’、２００Ｂ”は、図２Ａ−図２Ｂにおいて上述のように設定されるのであるが、一つ又はそれ以上のファイルライブラリ（図示せず）を格納し与えるように構成されている。
【００４５】
娯楽装置３００Ｃは、コンピュータシステム３２０と少なくとも一つのユーザインタフェース４００を含むのであるが、夫々は（図２Ａに示す）娯楽装置３００Ａに係る上述のように設定される。上述のように、コンピュータシステム３２０は、ユーザインタフェース４００により与えられる命令、及び／又は一つ又はそれ以上のデータベースシステム２００Ａ、２００Ｂ’、２００Ｂ”により与えられる通信信号５１０を、受信して処理し、通信信号５１０をデータベースシステム２００Ａ、２００Ｂ’、２００Ｂ”に与えるように、構成されている。図３Ａに示すように、データベースシステム２００Ａ、２００Ｂ’、２００Ｂ”は、実質的にスター型配置でコンピュータシステム３２０と繋がり得る。ユーザインタフェース４００は、ユーザ（図示せず）が娯楽システム１００Ｃと相互に作用することを許容するように、構成される。娯楽装置３００Ｃは、例えば、個々のデータベースシステム２００Ａ、２００Ｂ’、２００Ｂ”の利用可能性に拠って、データベースシステム２００Ａ、２００Ｂ’、２００Ｂ”のどの組み合わせと通信状態にあってもよい。
【００４６】
娯楽装置３００Ｃは、データベースシステム２００Ｂ’、２００Ｂ”と娯楽装置３００Ｃとの間で通信信号５１０の交換を促進するための通信インタフェース３１０Ｂ’を含んでもよい。図３Ａに示すように、通信インタフェース３１０Ｂ’は第１のアンテナシステム３１２’と第２のアンテナシステム３１２”を含む。該第１のアンテナシステム３１２’は第１のトランシーバシステム３１４’と繋がって通信するように構成され、該第２のアンテナシステム３１２”は第２のトランシーバシステム３１４”と繋がって通信するように構成されている。第１と第２のアンテナシステム３１２’、３１２”の各々は、（図２Ｂに示す）アンテナシステム３１２において上述のように設けられる。一方で、第１と第２のトランシーバシステム３１４’、３１４”は、（図２Ｂに示す）トランシーバシステム２１４３１４において上述のように設けられる。図３Ａに示すように、通信インタフェース３１０Ｂ’は、個々のデータベースシステム２００Ｂ’、２００Ｂ”のための実質的に独立の通信インタフェースを含む。幾分異なるように述べられているが、第１のアンテナシステム３１２’と第１のトランシーバシステム３１４’は、第１のデータベースシステム２００Ｂ’と娯楽装置３００Ｃの間で第１の通信信号５１０’を交換するように構成され、一方で、第２のアンテナシステム３１２”と第２のトランシーバシステム３１４”は、第２のデータベースシステム２００Ｂ”と娯楽装置３００Ｃの間で第２の通信信号５１０”を交換するように構成されている。
【００４７】
（図２Ａに示す）通信インタフェース３１０Ｂに関して上述に示したように、第１のアンテナシステム３１２’は第１のデータベースシステム２００Ｂ’から第１の通信信号５１０’を受信するように構成されている。第１のアンテナシステム３１２’は第１の通信信号５１０’を第１のトランシーバシステム３１４’に与え、該第１のトランシーバシステム３１４’は第１の通信信号５１０’を処理し処理された第１の通信信号５１０’をコンピュータシステム３２０に与える。同様にコンピュータシステム３２０により与えられる第１の通信信号５１０’は、第１のトランシーバシステム３１４’により処理され、第１のアンテナシステム３１２’により第１のデータベースシステム２００Ｂ’に伝送され得る。
【００４８】
同様に、第２のアンテナシステム３１２’は、第２のデータベースシステム２００Ｂ”から第２の通信信号５１０”を受信し第２の通信信号５１０”を第２のトランシーバシステム３１４”に与える。第２の通信信号５１０”を処理すると、第２のトランシーバシステム３１４”は、処理された第２の通信信号５１０”をコンピュータシステム３２０に与え得る。コンピュータシステム３２０により与えられた第２の通信信号５１０”は、第２のトランシーバシステム３１４”により処理され、第２のアンテナシステム３１２”により第２のデータベースシステム２００Ｂ”に伝送され得る。このように、コンピュータシステム３２０は、データベースシステム２００Ａ、２００Ｂ’及び２００Ｂ”の各々と通信するように構成され得る。
【００４９】
娯楽システム１００Ｃと同様に、娯楽システム１００Ｄは、娯楽装置３００Ｄ、データベースシステム２００Ａ、第１のデータベースシステム２００Ｂ’、及び第２のデータベースシステム２００Ｂ”を含むものとして、図３Ｂに示されている。娯楽装置３００Ｄは、データベースシステム２００Ａと有線通信状態にあり第１及び第２のデータベースシステム２００Ｂ’、２００Ｂ”と無線通信状態にあるように構成されている。データベースシステム２００Ａ、２００Ｂ’、及び２００Ｂ”の各々は、図３Ａに関する上記記述のように設けられ、（図示しない）一つ又はそれ以上のファイルライブラリを格納し与えるように構成されている。
【００５０】
娯楽装置３００Ｃは、図３Ａに関する上記記述のように設けられるが、コンピュータシステム３２０と少なくとも一つのユーザインタフェース４００を含む。上述のように、コンピュータシステム３２０は、ユーザインタフェース４００により与えられる命令及び／又は一つ又はそれ以上のデータベースシステム２００Ａにより与えられる通信信号５１０を受信して処理し、通信信号５１０をデータベースシステム２００Ａ、２００Ｂ’、２００Ｂ”に与えるように、構成されている。図３Ａに示すように、データベースシステム２００Ａ、２００Ｂ’、２００Ｂ”は、コンピュータシステム３２０と実質的にひとつながりの、即ち一連の構成で連結でき、このことにより、第１と第２のデータベースシステム２００Ｂ’、２００Ｂ”からダウンロードされたファイルはデータベースシステム２００Ａに与えられる。従って、データベースシステム２００Ａは、第１と第２のデータベースシステム２００Ｂ’、２００Ｂ”からダウンロードされたファイルに関するアーカイブコピーなどのコピーを格納するように、構成されている。ユーザインタフェース４００は、（図示しない）ユーザが娯楽システム１００Ｃと相互に作用することを許容するように構成されている。娯楽装置３００Ｃは、例えば個々のデータベースシステム２００Ａ、２００Ｂ’、２００Ｂ”の利用可能性に依存するが、データベースシステム２００Ａ、２００Ｂ’、２００Ｂ”のどの組み合わせとも通信できる。
【００５１】
娯楽装置３００Ｄは、データベースシステム２００Ｂ’、２００Ｂ”との通信信号５１０の交換を促進するための通信インタフェース３１０Ｂ”が設けられてもよい。図３Ｂに示すように、通信インタフェース３１０Ｂ”はアンテナシステム３１２を含み、該アンテナシステム３１２はトランシーバシステム３１４と繋がり通信するように構成されている。アンテナシステム３１２及びトランシーバシステム３１４は、（図２Ｂに示す）アンテナシステム３１２及び（図２Ｂに示す）トランシーバシステム３１４に関する上記記述のように、夫々設けられる。図３Ｂに示すように、通信インタフェース３１０Ｂ”は、娯楽装置３００Ｄをデータベースシステム２００Ｂ、２００Ｂ”と繋ぐための統合通信インタフェースを含む。
【００５２】
上述のように、アンテナシステム３１２は、第１のデータベースシステム２００Ｂ’から第１の通信信号５１０’を受信し、及び／又は第２のデータベースシステム２００Ｂ”から第２の通信信号５１０”を受信するように、構成されている。アンテナシステム３１２は、受信された通信信号５１０’、５１０”をトランシーバシステム３１４に与える。トランシーバシステム３１４は通信信号５１０’、５１０”を処理し、処理された通信信号５１０’、５１０”をコンピュータシステム３２０に与える。同様にコンピュータシステム３２０により与えられる通信信号５１０’、５１０”は、トランシーバシステム３１４により処理されアンテナシステム３１２により夫々のデータベースシステム２００Ｂ’、２００Ｂ”に伝送され得る。
【００５３】
図４Ａは、図１の娯楽システム１００のためのユーザインタフェース４００の一つの実施形態に関する詳細を示す。例示のユーザインタフェース４００Ａは、（図示しない）ユーザが娯楽システム１００と通信し若しくは相互に作用することを許容するように構成されており、インプットシステム４１０及びアウトプットシステム（図示せず）を含む。アウトプットシステムは、インタフェースオーディオシステム４３０及び／又はインタフェースビデオシステム４４０を含む。ユーザインタフェース４００Ａは、（図１に示す）娯楽装置３００に統合されてもよく、及び／又は娯楽装置３００から独立していてもよい。
【００５４】
インプットシステム４１０は、ユーザが、利用可能なファイルライブラリから一つ又はそれ以上のファイルを選択するための命令、及び／又は選択ファイルの提示を制御するための命令などの、命令を娯楽装置３００に通信することを許容する。通常、キーボード若しくはキーパッドなどの一つ又はそれ以上のプッシュボタン、及び／又はマウス若しくはトラックボールなどのポインティングデバイス（図示せず）を含むが、インプットシステム４１０は、適切なように設けられればよい。インプットシステム４１０は、ユーザインタフェース４００Ａの一つ又はそれ以上の他のシステムと組み合わされてもよい。例えば、インプットシステム４１０及びインタフェースビデオシステム４４０は、タッチスクリーンの形態で組み合わされてもよい。更に、娯楽システム１００を介してファイルをダウンロードし及び／又は提示するために料金が要求されるならば、インプットシステム４１０はクレジットカードリーダを含んでもよく、若しくは、ユーザはキーボード及び／又はポインティングデバイスを介して支払い情報を与えてもよい。
【００５５】
娯楽装置３００は、インタフェースオーディオシステム４３０及び／又はインタフェースビデオシステム４４０と通信するように構成されている。インタフェースオーディオシステム４３０は情報をユーザに音声で提示でき、一方、インタフェースビデオシステム４４０は情報をユーザに画像で提示できる。インタフェースシステム４００Ａは、娯楽システム１００を利用するための命令、ダウンロード可能なファイルライブラリのカタログ、及びダウンロードされたファイルなどの、どのタイプの情報も提示するように構成されている。例えば、インタフェースビデオシステム４４０は、娯楽システム１００との対話、及び／又は、ダウンロード可能なファイル及び／又はインタフェースシステム４００Ａに予めダウンロードされたファイルを含む利用可能ファイルライブラリの対話式メニューとの対話を促進するグラフィカルユーザインタフェース（ＧＵＩ）を設けてもよい。従って、インタフェースシステム４００Ａは、娯楽装置３００を介して提示される一つ又はそれ以上のファイルを選択する際に、ユーザをアシストし得る。
【００５６】
ユーザが選択を行い、必要に応じて支払い情報及び／又は認証情報を入力すれば、娯楽装置３００は選択ファイルをダウンロードできる。インタフェースオーディオシステム４３０及びインタフェースビデオシステム４４０は夫々、ファイルの音声部位と映像部位を提示するように構成されている。娯楽装置３００は、ファイルの提示を制御するための付加的機能を設けるのが好ましい。例えば、インプットシステム４１０は、ファイルの提示を巻き戻し、早送りし及び／又は一時停止をするように構成されている。同様にインプットシステム４１０は、ボリュームコントロール、ミキシング、等化、及び／又は弱音機能を含むことができ、及び／又は、一つ又はそれ以上のファイルを転送及び／又は消去するような一般的ファイル管理機能を実施してファイルの系統化を促進するファイルディレクトリを設けることができる。インプットシステム４１０は、ファイル編集機能を設けることが好ましい。
【００５７】
図４Ａに示すように、インタフェースオーディオシステム４３０は、スピーカシステム４３４及び一つ又はそれ以上のオーディオ通信ポートと繋がり通信するように構成されているオーディオシステム４３２を含む。オーディオ通信ポートは、一つ又はそれ以上のオーディオアウトプットポート４３６、オーディオインプットポート４３８、及び／又はマイクロフォンポート（図示せず）を含む。オーディオシステム４３２は、選択されたファイルの音声部位を受信するように構成されているのであるが、一つ又はそれ以上のコーダ／デコーダ（ＣＯＤＥＣ）、増幅器、アナログデジタル変換器（ＡＤＣ）、ミキサ、及び／又は音声部位を処理するためのエコライザを含み得る。選択されたファイルの処理された音声部位は、オーディオアウトプットポート４３６と繋がる、ヘッドフォンのセットのようなスピーカシステム４３４及び／又は第２のスピーカシステム（図示せず）を介して音声により提示され得る。音声部位が処理され及び／又は音声により提示される過程は、制御可能なようにインプットシステム４１０を介するものであることが好ましい。
【００５８】
インタフェースビデオシステム４４０は、ディスプレイシステム４４４と繋がり通信するように構成されているビデオシステム４４２を含むものとして、図４Ａに示されている。ビデオシステム４４２は選択されたファイルの映像部位を受信して処理でき、処理された映像部位はディスプレイシステム４４を介して画像で提示される。ディスプレイシステム４４４は、図画情報及び／又は文字情報を画像で提示するように構成されている。選択されたファイルの映像部位が処理され及び／又は画像により提示される過程は、制御可能なようにインプットシステム４１０を介するものであることが好ましい。デジタル映像として画像により提示されるのが好ましいが、映像部位は、ビデオシステム４４２によって、ディスプレイシステム４４４の提示し得るアナログ情報に変換され得る。
【００５９】
インタフェースオーディオシステム４３０及びインタフェースビデオシステム４４０は、インタフェース処理システム４２０を介してインプットシステム４１０と繋がり通信するように構成されている。インタフェース処理システム４２０は、インプットシステム４１０により与えられる命令、及び／又は（図１に示す）データベースシステム２００により与えられる（図２Ａ−図２Ｂに示す）入力通信信号５１０ｂを、受信して処理し、データベースシステム２００に（図２Ａ−図２Ｂに示す）出力通信信号５１０ａを与えるように、構成されている。例えば、出力通信信号５１０ｂに関してインタフェース処理システム４２０により実施される処理は、出力通信信号５１０ｂをエンコードすること、モジュレートすること、及び／又は、アナログデジタル変換することを、含み得る。一方、入力通信信号５１０ａは、インタフェース処理システム４２０により、デコードされ、デモジュールされ、及び／又はデジタルアナログ変換される。インタフェース処理システム４２０は、（図２Ａ−図２Ｂに示す）コンピュータシステム３２０に関して上記により詳細に説明したように設定されるが、処理システム４２２及びメモリシステム４２４を含み、コンピュータシステム３２０と実質的に統合してもよく、分離してもよい。
【００６０】
メモリシステム４２４は、処理システム４２２と繋がり通信するように構成され、データベースシステム２００ダウンロードされた選択ファイルを受信して格納し、インプットシステム４１０の制御の下で、提示のためにファイルをインタフェースオーディオシステム４３０及び／又はインタフェースビデオシステム４４０に与えるように構成されている。（図２Ａに示す）メモリシステム３２４に関して上記により詳細に説明したように、メモリシステム４２４は、処理システム４２２に係る命令コード及び他の情報、及び／又はユーザインタフェース４００Ａの現下の及び／又は過去の操作ステータスに関連するパフォーマンスデータを含む、他のタイプの情報を格納して提供できる。不揮発性メモリシステムを含むのが好ましいが、メモリシステム４２４は、メモリシステム３２４に関して上述したような電子、磁気、及び／又は光学格納媒体を含む、どの適切なタイプのメモリシステムを含んでもよい。インプットシステム４１０は、ファイルがメモリシステム４２４に付加され、修正され、及び／又はメモリシステム４２４から消去されることを許容するように構成されるのが好ましい。
【００６１】
（図２Ａに示す）処理システム３２２に関して上記により詳細に説明したようにどのタイプの適切な処理システムも含み得るのであるが、処理システム４２２は、インプットシステム４１０により与えられる命令、及び／又はデータベースシステム２００により与えられる入力通信信号５１０ｂに基づいて、必要に応じて一つ又はそれ以上の機能を実施するように構成されている。上述のように、処理システム４２２は、一連の命令を受信し実行することにより機能を実施し得るが、該一連の命令は、メモリシステム４２４の中に格納されメモリシステム４２４により与えられる命令コードの形態で与えられ得る。処理システム４２２は、機能の結果を所望に応じてインタフェースオーディオシステム４３０、インタフェースビデオシステム４４０、メモリシステム４２４、及び／又はデータベースシステム２００に与えてもよい。例えば、処理システム４２２は、出力通信信号５１０ａをデータベースシステム２００に与えてもよい。
【００６２】
図１に関して上記に説明したように、娯楽装置３００は複数のユーザインタフェース４００を含んでもよい。娯楽装置３００は通常、（図７Ａ−図７Ｂに示す）乗物８００内に搭載されるとき一つ以上のユーザインタフェース４００を備える。個々のユーザインタフェース４００は、（図４Ａに示すように）ユーザインタフェース４００Ａに関して上記により詳細に説明したように、設定され得る。ユーザインタフェース４００は、一つ又はそれ以上の共通インタフェース要素を共有してもよい。例えば、図４Ｂに示すように、娯楽装置３００Ｆ複数のユーザインタフェース４００Ｂを有する。ユーザインタフェース４００Ｂは各々、ユーザインタフェース４００Ａに関して上記により詳細に説明したように設けられるインプットシステム４１０、インタフェースオーディオシステム４３０、及びインタフェースビデオシステム４４０を含む。しかしながら、ユーザインタフェース４００Ｂは、共通インタフェース処理システム４２０を共有するように構成されている。
【００６３】
共通インタフェース処理システム４２０は、（図４Ａに示す）インタフェース処理システム４２０に関して上記により詳細に説明したように設けられるのであるが、個々のユーザインタフェース４００Ｂのためのインプットシステム４１０、インタフェースオーディオシステム４３０、及びインタフェースビデオシステム４４０を繋ぐ。個々のユーザインタフェース４００Ｂのために、共通インタフェース処理システム４２０は更に、インプットシステム４１０により与えられる命令、及び／又は（図１に示す）データベースシステム２００により与えられる（図２Ａ−図２Ｂに示す）入力通信信号５１０ｂを受信して処理し、上記のようにデータベースシステム２００に（図２Ａ−図２Ｂに示す）出力通信信号５１０ａを与えるように構成されている。例えば、行に分けられた（図７Ａ−図７Ｂに示す）旅客シート８１０を備える乗物８００の中に搭載されるときには、娯楽装置３００Ｆは、旅客シート８１０の個々の行が共通インタフェース処理システム４２０を共有するように、個々のシート８１０にユーザインタフェース４００Ｂを設けることが好ましい。
【００６４】
図５を参照すると、データベースシステム２００Ａ、（図２Ｂに示される）データベースシステム２００Ｂと通信するように構成されている通信インタフェース３１０Ｂ、コンピュータシステム３２０、及び複数のユーザインタフェース４００を含む娯楽装置３００Ｅが、示される。データベースシステム２００Ａ及びコンピュータシステム３２０は、図２Ａに関して上記により詳細に説明したように設けられ、一方、ユーザインタフェース４００は、（図４Ａに示す）ユーザインタフェース４００Ａに関して上記に示したように設けられる。通信インタフェース３１０Ｂが設けられ、図２Ｂに関して上記に説明したように、データベースシステム２００Ｂと通信するように構成されている。図５に示すように、データベースシステム２００Ａ、通信インタフェース３１０Ｂ、コンピュータシステム３２０、及び複数のユーザインタフェース４００は、配布システム３３０を介して、繋がれ、通信するように構成されている。
【００６５】
配布システム３３０は、（図２Ａ−図２Ｂに示す）通信信号５１０を配布するためのどのタイプの配布システムを含んでもよい。例えば、配布システム３３０は、アナログ配布システム、デジタル配布システム、変調配布システム、ファイバ光学配布システム、有線配布システム、無線配布システム、及び／又はブロードバンド配布システムとして、設けられてもよい。好適な実施形態では、コンピュータシステム３２０及び配布システム３３０は、データベースシステム２００Ａ及び通信インタフェース３１０Ｂをユーザインタフェース４００に繋ぐための通信ネットワークを形成する。配布システム３３０は、データベースシステム２００Ａ及び／又は通信インタフェース３１０Ｂから（図２Ａ−図２Ｂに示す）通信信号５１０を受信し、通信信号５１０をコンピュータシステム３２０及び／又は一つ又はそれ以上のユーザインタフェース４００に与えるように、構成されている。コンピュータシステム３２０及びユーザインタフェース４００は、配布システム３３０を介して通信し、通信信号５１０をデータベースシステム２００Ａ及び／又は通信インタフェース３１０Ｂに与えることができる。
【００６６】
娯楽装置３００Ｅが（図７Ａ−図７Ｂに示す）乗物８００に搭載されると、例えば、配布システム３３０は、上記に説明したように、有線配布システム３３０を含むどの適切なタイプの配布システムを含んでもよい。配布システム３３０は、無線ローカルエリアネットワーク（ＷＬＡＮ）として設けられてもよい。例示としての無線ローカルエリアネットワークは、アメリカ電気・電子通信学会（ＩＥＥＥ）スタンダード８０２．１１の綱要に従うワイヤレスフィディリティ（Ｗｉ−Ｆｉ）ネットワークを含む。従って、データベースシステム２００Ａ、通信インタフェース３１０Ｂ、コンピュータシステム３２０、及び複数のユーザインタフェース４００は、乗物に搭載される有線通信システムにおける重量や他の欠点無く、繋がれ、通信するように構成され得る。
【００６７】
娯楽装置３００Ｅは、通信インタフェース３１０Ｂを介してダウンロードされたファイルの、アーカイブコピーなどのコピーを格納するように構成され得る。例えば、ファイルのコピーは、データベースシステム２００Ａ及び／又はコンピュータシステム３２０により、格納され得る。図２Ａに関して上記に説明したように設けられるのであるが、データベースシステム２００Ａは、（図２Ａに示す）メモリシステム２２４を伴う（図２Ａに示す）サーバシステム２２０を含む。一方、コンピュータシステム３２０は、（図２Ａに示す）メモリシステム３２４を含む。メモリシステム２２４は、不揮発性メモリシステムを含むのが好ましいが、上述のように電子、磁気、及び／又は光学格納媒体を含むどの適切なタイプのメモリシステムを含んでもよい。ファイルのコピーは、ハードディスクのアレイ上に格納されるのが好ましい。図示の目的のために独立システムとして示しているが、データベースシステム２００Ａ及びコンピュータシステム３２０は組み合わされて単体のシステムを形成してもよい。
【００６８】
ユーザインタフェース４００は、二つ又はそれ以上のインタフェースグループに分割されてもよい。図５に示すように、ユーザインタフェース４００は、二つのユーザインタフェースグループ、第１のインタフェースグループ４００’及び第２のインタフェースグループ４００”のうちの一つと結合する。ユーザインタフェース４００は、基準に基づいてインタフェースグループ４００’、４００”に分割され得る。娯楽装置３００Ｅが（図７Ａ−図７Ｂに示す）乗物８００に搭載されると、例えば、第１のインタフェースグループ４００’は乗物８００のファーストクラスセクションと結合する。一方、第２のインタフェースグループ４００”は乗物８００のエコノミクラスセクションと結合する。同様に、第１と第２のインタフェースグループ４００’、４００”は、乗物８００の運転者及び旅客と夫々結合してもよい。第１のインタフェースグループ４００’内のユーザインタフェース４００の機能は、第１２インタフェースグループ４００”内のユーザインタフェース４００の機能と、異なってもよい。例えば、乗物８００のファーストクラスセクションと結合するユーザインタフェース４００は、エコノミクラスセクションと結合するユーザインタフェース４００には利用できない高級なコンテンツにアクセスできるようにしてもよい。同様に、エコノミクラスセクションと結合するユーザインタフェース４００は、娯楽装置３００Ｅへのアクセスが許容される前に料金の支払いを要求してもよく、一方、ファーストクラスセクションと結合するユーザインタフェース４００は、娯楽装置３００Ｅにアクセスする料金の支払いを要求しないようにしてもよい。
【００６９】
図４Ａを参照すると、例示されたユーザインタフェース４００Ａは、一つ又はそれ以上の通信ポート４５０を含む。個々の通信ポート４５０は、ユニバーサルシリアルバス（ＵＳＢ）通信ポートなどの有線通信ポート、及び／又は赤外線（ＩＲ）通信ポートなどの無線通信ポートを含む、どの適切なタイプの通信ポートを含んでもよい。通信ポートは、ユーザインタフェース４００Ａを周辺機器（図示せず）に繋ぐように構成されているのであるが、インタフェース処理システム４２０と繋がり通信するように構成されている。従って、周辺機器は、娯楽装置３００を介して、データベースシステム２００だけでなく、インタフェースオーディオシステム４３０及びインタフェースビデオシステム４４０と通信できる。
【００７０】
図６Ａは、パーソナル娯楽システム６００Ａを含むユーザインタフェース４００Ｃを示す。パーソナル娯楽システム６００Ａは、ラップトップコンピュータ、パーソナルデジタルアシスタント（ＰＤＡ）、若しくはＭＰ３デバイスなどの、携帯用パーソナル娯楽システムを含むのが好ましい。図６Ａに示すように、パーソナル娯楽システム６００Ａは、処理システム６２０を介して繋がり通信するように構成されているインプットシステム６１０、オーディオシステム６３０、ビデオシステム６４０、メモリシステム６６０、及び／又は通信ポート６５０Ａを含む。インプットシステム６１０は、ユーザがパーソナル娯楽システム６００Ａに命令を通信することを許容する。通常、キーボード若しくはキーパッドなどの一つ又はそれ以上のプッシュボタン（図示せず）、及び／又は、マウス、トラックボール若しくはスタイラスなどのポインティングデバイス（図示せず）を含むのであるが、インプットシステム６１０は、適切に設けられるのが好ましい。
【００７１】
図６Ａに示すように、パーソナル娯楽システム６００Ａの通信ポート６５０Ａは、通信バス７００Ａなどの有線通信システム７００を介してユーザインタフェース４００Ｃの通信ポート６５０Ａと着脱自在に繋がるのが好ましい。従ってパーソナル娯楽システム６００Ａ及びユーザインタフェース４００Ｃは、通信信号７１０を交換するように構成されている。パーソナル娯楽システム６００Ａをユーザインタフェース４００Ｃと繋げることによって、インプットシステム６１０は、（図４Ａに示す）インプットシステム４１０に関して上記に説明したように（図１に示す）娯楽装置３００に命令を通信できる。結果として、ユーザは、インプットシステム６１０を利用して（図１に示す）利用可能データベースシステム２００にアクセスし、利用可能ファイルライブラリから一つ又はそれ以上のファイルを選択し、及び／又は選択ファイルの提示を制御することができる。
【００７２】
（図４Ａに示す）インタフェースオーディオシステム４３０及び（図４Ａに示す）インタフェースビデオシステム４４０に関して上記に説明したように、娯楽装置３００は、パーソナル娯楽システム６００Ａのオーディオシステム６３０及び／又はビデオシステム６４０を介してユーザと通信するように構成されている。オーディオシステム６３０はユーザへ情報を音声で提示し、一方、ビデオシステム６４０はユーザへ情報を映像で提示する。（図４Ａに示す）ユーザインタフェース４００Ａに関して上記に説明したように、パーソナル娯楽システム６００Ａは、娯楽システム１００を使用するための命令、ダウンロードのために利用可能なファイルライブラリのカタログ、及びダウンロードされたファイルを含む、どのタイプの情報も提示するように構成されている。例えば、ビデオシステム６４０は、娯楽システム１００との相互作用を促進するためのグラフィカルユーザインタフェース（ＧＵＩ）と、ダウンロードするために利用可能なファイル、及び／又は上記に示したようにパーソナル娯楽システム６００Ａに予めダウンロードされたファイルを含む、ファイルライブラリの相互作用メニューを、設けてもよい。
【００７３】
ユーザが選択し、必要に応じて、支払い及び／又は認証情報を入力すると、パーソナル娯楽システム６００Ａは、選択ファイルをダウンロードできる。パーソナル娯楽システム６００Ａのオーディオシステム６３０及びビデオシステム６４０は夫々、ファイルの音声部位と映像部位を提示するように構成されている。図４Ａに関して上記に説明したように、パーソナル娯楽システム６００Ａは、ファイルの提示を制御するための付加的な機能を設けてもよい。例えば、インプットシステム６１０は、ファイルの提示の巻き戻し、早送り、及び／又は一時停止をするように構成されていてもよい。同様に、インプットシステム６１０は、ボリュームコントロール、ミキシング、等化、及び／又は弱音機能を含むことができ、及び／又は、一つ又はそれ以上のファイルを転送及び／又は消去するような一般的ファイル管理機能を実施してファイルの系統化を促進するファイルディレクトリを設けることができる。インプットシステム６１０は、ファイル編集機能を設けることが好ましい。
【００７４】
（図４Ａに示す）インタフェースオーディオシステム４３０に関して上記に説明したように、オーディオシステム６３０は、スピーカシステム及び一つ又はそれ以上のオーディオ通信ポートを含んでよい。オーディオ通信ポートは、一つ又はそれ以上のオーディオアウトプットポート、オーディオインプットポート、及び／又はマイクロフォンポートを含んでよい。従って、選択されたファイルの音声部位は、オーディオアウトプットポートと繋がる、ヘッドフォンのセットのようなスピーカシステム及び／又は第２のスピーカシステムを介して音声により提示され得る。ビデオシステム６４０は、（図４Ａに示す）インタフェースビデオシステム４４０に関して上記に説明したようにディスプレイシステム（図示せず）を備えてもよい。ビデオシステム６４０は、選択ファイルの映像部位を画像で提示でき、図画情報及び／又は文字情報を映像により提示するように構成され得る。選択ファイルの映像部位が処理され及び／又は映像により提示される過程は、制御可能なようにインプットシステム６１０を介するものであることが好ましい。
【００７５】
処理システム６２０は、インプットシステム６１０により与えられる命令、及び／又は（図１に示す）データベースシステム２００により与えられる通信信号７１０を受信して処理し、（図４Ａに示す）インタフェース処理システム４２０に関して上述で説明したように、通信信号７１０をデータベースシステム２００に与えることができる。メモリシステム６６０は、処理システム６２０と繋がり通信するように構成され、データベースシステム２００からダウンロードされた選択ファイルを受信して格納し、インプットシステム６１０の制御の下で提示のためにオーディオシステム６３０及び／又はビデオシステム６４０にファイルを与えるように構成されている。メモリシステム６６０は、不揮発性メモリシステムを含むのが好ましいのであるが、（図４Ａに示す）メモリシステム４２４に関して上述にて説明したように、電子、磁気、及び／又は光学の格納媒体を含むどの適切なタイプのメモリを含んでも良い。インプットシステム４１０は、メモリシステム４２４にファイルが付加され、修正され及び／又はメモリシステム４２４から消去されるのを許容するように、構成されるのが好ましい。
【００７６】
パーソナル娯楽システム６００Ａがユーザインタフェース４００Ｃから切り離されても、メモリシステム６６０はファイルを保持するように構成されているのが好ましい。従って、パーソナル娯楽システム６００Ａが（図１に示す）娯楽装置３００及び／又は（図１に示す）データベースシステム２００ともはや通信しない状態であっても、ファイルはパーソナル娯楽システム６００Ａを介して提示され得る。従って、娯楽装置３００が（図７Ａ−図７Ｂに示す）乗物８００内に搭載されると、例えば、乗物８００内の旅客は旅行中選択ファイルをダウンロードできる。一旦格納されると、ファイルはパーソナル娯楽システム６００Ａのメモリシステム６６０の中に保持されるため、パーソナル娯楽システム６００Ａは娯楽装置３００から切り離し可能である。従って、旅客は、乗物８００からパーソナル娯楽システム６００Ａを取り外すことにより、旅行が終わり乗物８００を降りた後を含む、何時であってもファイルを見ることができる。
【００７７】
図６Ｂに示すユーザインタフェース４００Ｄは、無線通信システム７００Ｂを介してユーザインタフェース４００Ｄと繋がるパーソナル娯楽システム６００Ｂを含む。（図６Ａに示す）パーソナル娯楽システム６００Ａに関して上記に説明したように設けられるのであるが、パーソナル娯楽システム６００Ｂは、インプットシステム６１０、オーディオシステム６３０、ビデオシステム６４０、メモリシステム６６０、及び／又は通信ポート６５０Ｂを含み、夫々のものは処理システム６２０を介して繋がり通信するように構成されている。パーソナル娯楽システム６００Ｂの通信ポート６５０Ｂは、ユーザインタフェース４００Ｄの通信ポート４５０Ｂと通信するように構成されている。図６Ｂに示されるように、パーソナル娯楽システム６００Ｂの通信ポート６５０Ｂは、無線通信システム７００Ｂを介してユーザインタフェース４００Ｄの通信ポート４５０Ｂと着脱自在に繋がり得る。これによりパーソナル娯楽システム６００Ｂ及びユーザインタフェース４００Ｄは、通信信号７１０を交換するように構成されている。
【００７８】
パーソナル娯楽システム６００Ｂをユーザインタフェース４００Ｄに繋げることにより、インプットシステム６１０は、（図６Ａに示す）パーソナル娯楽システム６００Ａに関して上記に説明したように、命令を（図１に示す）娯楽装置３００に通信し得る。結果として、ユーザはインプットシステム６１０を利用して（図１に示す）利用可能データベースシステム２００にアクセスし、利用可能ファイルライブラリから一つ又はそれ以上のファイルを選択し、選択されたファイルの提示を制御する。パーソナル娯楽システム６００Ｂがユーザインタフェース４００Ｄから切り離されても、上述のように、パーソナル娯楽システム６００Ｂがファイルを保持するように構成されているのが好ましい。このことにより、パーソナル娯楽システム６００Ｂが（図１に示す）娯楽装置３００及び／又は（図１に示す）データベースシステム２００ともはや通信しない状態であっても、ファイルはパーソナル娯楽システム６００Ｂを介して提示され得る。
【００７９】
（図１に示す）娯楽装置３００は、自動車、バス、飛行機、ボート、若しくは機関車などの、広範な種類の乗物８００の中に搭載され得る。図７Ａは、自動車８００Ａ内に搭載された娯楽装置３００を伴う娯楽システム１００を示す。図７Ａに示すように、アンテナシステム３１２は、自動車８００Ａに搭載され、図２Ｂに関して上記に示したように通信システム５００Ｂを介してデータベースシステム２００Ｂと通信信号５１０を交換するように構成されている。アンテナシステム３１２は、トランシーバシステム３１４と繋がり、該トランシーバシステム３１４は通信信号５１０を受信して処理し、上述のようにコンピュータシステム３２０に対して処理された通信信号５１０を与えるように構成されている。同様にトランシーバシステム３１４は、コンピュータシステム３２０により与えられた通信信号５１０を受信して処理し、処理された通信信号５１０をアンテナシステム３１２に与えることができる。次に、コンピュータシステム３２０は配布システム３３０を介して一つ又はそれ以上のユーザインタフェース４００と通信するように構成されている。
【００８０】
図７Ａに示すように、ユーザインタフェース４００は、自動車８００Ａ内のシート８１０に結合してもよい。例えば、ドライバシート８１０Ａには、第１のインタフェースグループ４００’に係るユーザインタフェース４００が設けられる。一方、旅客シート８１０Ｂは、第２のインタフェースグループ４００”に係るユーザインタフェース４００を含む。図５に関して説明したように、第１のインタフェースグループ４００’内のユーザインタフェース４００の機能は、第２のインタフェースグループ４００”内のユーザインタフェース４００の機能と異なってもよい。例えば、ドライバは道路に注意を払う必要があるから、第１のインタフェースグループ４００’に係るユーザインタフェース４００は、（図４Ａに示す）インタフェースビデオシステム４４０をおそらく含まないものである。一方、第２のインタフェースグループ４００”内のユーザインタフェース４００はインタフェースビデオシステム４４０を含んでもよい。同様に、第１のインタフェースグループ４００’内のユーザインタフェース４００のための（図４Ａに示す）インプットシステム４１０は、自動車８００Ａ内のユーザインタフェース４００の各々のための（図４Ａに示す）インタフェースオーディオシステム４３０を無音にするように構成されていてもよい。
【００８１】
同様に娯楽システム１００の娯楽装置３００は、図７Ｂに示すような飛行機８００Ｂ内に搭載されてもよい。図７Ｂに示すように、アンテナシステム３１２は、飛行機８００Ｂの外側胴体に搭載され、図２Ｂに関して上記に示したように通信システム５００Ｂを介して通信信号５１０をデータベースシステム２００Ｂと交換するように構成されている。アンテナシステム３１２は、トランシーバシステム３１４と繋がり、該トランシーバシステム３１４は通信信号５１０を受信して処理し、上述のようにコンピュータシステム３２０に対して処理された通信信号５１０を与えるように構成されている。同様にトランシーバシステム３１４は、コンピュータシステム３２０により与えられた通信信号５１０を受信して処理し、処理された通信信号５１０をアンテナシステム３１２に与えることができる。
【００８２】
コンピュータシステム３２０はデータベースシステム２００Ａにも繋がる。データベースシステム２００Ａは、図２Ａ関して上記に示したように設けられ、飛行機８００Ｂの中に配置される。上述のようにデータベースシステム２００Ａと通信するように構成されているが、コンピュータシステム３２０は、配布システム３３０を介してデータベースシステム２００Ａと通信信号５１０を交換するように構成されている。これにより、コンピュータシステム３２０は、データベースシステム２００Ａ及びデータベースシステム２００Ｂと通信し、データベースシステム２００Ａ及びデータベースシステム２００Ｂから一つ又はそれ以上の選択されたファイルをダウンロードできる。
【００８３】
同様に配布システム３３０は、一つ又はそれ以上のユーザインタフェース４００とコンピュータシステム３２０を繋ぐ。図７Ｂに示すように、ユーザインタフェース４００は飛行機８００Ｂ内のシート８１０と繋がり得る。例示のために、飛行機８００Ｂ内のシート８１０は３つのインタフェースグループに分割されている。シート８１０Ａは飛行機搭乗員のためのシートを含む。一方、シート８１０Ｂは旅客シートを含む。旅客シート８１０Ｂは更に、ファーストクラス旅客シート８１０Ｂ’とエコノミクラス旅客シート８１０Ｂ”に分割され、それらシートはユーザインタフェース４００を含み夫々第１と第２のインタフェースグループ４００’、４００”に関連する。飛行機搭乗員シート８１０Ａも、第３のインタフェースグループ４００’’’に係るユーザインタフェース４００を含む。
【００８４】
前述のように、３つのインタフェースグループ４００’、４００”、４００’’’内のユーザインタフェース４００の機能は、異なってよい。図７Ａに関して上記に示したように、飛行機搭乗員シート８１０Ａに設けられるユーザインタフェース４００は（図４Ａに示す）インタフェースビデオシステム４４０をおそらく含まないものである。一方、旅客シート８１０Ｂのためのユーザインタフェース４００は、インタフェースビデオシステム４４０を含んでもよい。飛行機搭乗員シート８１０Ａに設けられるユーザインタフェース４００のための（図４Ａに示す）インプットシステム４１０は、飛行機８００Ｂ内のユーザインタフェース４００の各々のための（図４Ａに示す）インタフェースオーディオシステム４３０を無音にするように構成されていてもよい。
【００８５】
更に、ファーストクラス旅客シート８１０Ｂ’のためのユーザインタフェース４００の機能は、エコノミクラス旅客シート８１０Ｂ”のためのユーザインタフェース４００の機能と異なってもよい。図５に関して上記に説明したように、例えば、ファーストクラス旅客シート８１０Ｂ’に係るユーザインタフェース４００は、エコノミクラス旅客シート８１０Ｂ”に係るユーザインタフェース４００には利用できない高級コンテンツにアクセスできる。同様にエコノミクラス旅客シート８１０Ｂ”に係るユーザインタフェース４００は、娯楽装置３００へのアクセスを許容する前に料金を払うことを要求するようにしてもよい。一方、ファーストクラス旅客シート８１０Ｂ’に係るユーザインタフェース４００は料金の支払いを要求することなく娯楽装置３００Ｅにアクセスできるようにしてもよい。
【００８６】
図７Ａ−図７Ｂを参照すると、娯楽システム１００は、乗物８００の目的地に関連するファイルをダウンロードし提示するように構成されてもよい。例えば、旅客は、ホテル設備や目的都市の地図に関する情報を与えるファイルをダウンロードできる。目的地が空港であれば、他の飛行のための、到着・出発時刻及びゲート情報などの情報を含むファイルは、ダウンロードして、接続の飛行を決定する、若しくは別の便で空港に到着する他人と合う際の、旅客を手助けできる。
【００８７】
図８Ａ−図８Ｄは、（図１に示す）娯楽装置３００が乗物８００の中に搭載されるときの、（図４Ａに示す）ユーザインタフェース４００のための種々の構成を図示する。ユーザインタフェース４００は、インプットシステム４１０、（図４Ａに示す）インタフェースオーディオシステム４３０、及び（図４Ａに示す）インタフェースビデオシステム４４０を含む。図８Ａに示すユーザインタフェース４００を参照すると、インタフェースビデオシステム４４０は、娯楽装置３００からの情報を映像で提示するためのディスプレイシステム４４４を有する。例示されたディスプレイシステム４４４は、一つ又はそれ以上のオーバヘッドディスプレイシステム４４４Ａとして設けられる。インプットシステム４１０は、図８Ａに示すようにシート８１０の肘掛け８２０上に設けられる。シート８１０は、シート８１０Ａ及びシート８１０Ｂを含むものとして示されており、シート８１０Ａ、８１０Ｂのためのユーザインタフェース４００は夫々、第１と第２のインタフェースグループ４００’、４００”と関連する。シート８１０Ａのためのインプットシステム４１０は、異なるレベルの機能を有するのであるが、シート８１０Ｂのためのインプットシステムに設けられていない機能４１０Ａを含む。
【００８８】
図８Ａに示すインタフェースオーディオシステム４３０は、娯楽装置３００からの情報を音声で提示するためのスピーカシステム４３４を含む。スピーカシステム４３４は、一つ又はそれ以上のオーバヘッドスピーカ４３４Ａ及び／又は乗物８００のシート８１０の内部に配置される一つ又はそれ以上のスピーカシステムを含み得る。シート８１０の内部では、スピーカシステム４３４は、例えば、シート８１０のヘッドレスト８４０内の、及び／又はシート８１０の底８５０内のスピーカシステム４３４Ｂとして、適切に設けられ得る。図４Ａに関して上記に説明したように、同様にインタフェースオーディオシステム４３０は、情報を音声で提示するための、オーディオアウトプットポート４３６などの一つ又はそれ以上のオーディオ通信ポートを含んでもよい。例えば、オーディオアウトプットポート４３６は、図８Ａに示すようにシート８１０の肘掛け８２０上に設けられてもよい。
【００８９】
図８Ｂに示すユーザインタフェース４００のディスプレイシステム４４４は、シート裏８３０の背面８６０と繋がる一つ又はそれ以上のシート裏ディスプレイシステム４４４Ｂに加えて、図８Ａに関して上記に説明したように設けられる一つ又はそれ以上のオーバヘッドディスプレイシステム４４４Ａを含む。同様にインプットシステム４１０は、シート８１０の肘掛け８２０を介してアクセス可能な機能４１０Ａ、及び／又は図８Ｂに示すようなシート裏８３０の背面８６０上に設けられる機能を、備えてよい。シート裏ディスプレイシステム４４４Ｂは、機能４１０Ｂと実質的に分離していてもよく、組み合わさっていてもよい。例えば、シート裏ディスプレイシステム４４４Ｂは、シート裏８３０上に機能４１０Ｂを与えるためのタッチスクリーンを含んでもよい。
【００９０】
図８Ａに示すシート８１０と対照して、図８Ｂのシート８１０はインタフェースグループ４００’、４００”に分割されず、実質的に同じレベルの機能を有する。これにより、シート８１０のためのインプットシステム４１０は両方とも機能４１０Ａを有する。図８Ｂ内のスピーカシステム４３４は、図８Ａに関して上記に説明したように設けられるが、一つ又はそれ以上のオーバヘッドスピーカ４３４Ａを含む。図８Ｂには、シート８１０に配置されるものとして、スピーカシステム４３４３は示されない。同様にインタフェースオーディオシステム４３０は、オーディオアウトプットポート４３６などの一つ又はそれ以上のオーディオ通信ポートを有し、該オーディオアウトプットポート４３６はシートの肘掛け８２０上に設けられる。
【００９１】
図８Ｃは、一つ又はそれ以上のシート裏ディスプレイシステム４４４Ｂを含むディスプレイシステム４４４と、シート８１０の肘掛け８２０上に設けられたインプットシステム４１０とを伴うユーザインタフェース４００を示し、各々は図８Ｂに関して上記に説明したように設けられる。ユーザインタフェース４００のインタフェースオーディオシステム４３０は、シート８２０の肘掛け８２０上に設けられたオーディオアウトプットポート４３６などの一つ又はそれ以上のオーディオ通信ポートを有するものとして、示されている。図８Ｃのユーザインタフェース４００により音声で提示される音声情報のために、ヘッドフォンのセットなどの周辺機器（図示せず）がオーディオアウトプットポート４３６と繋がれている。
【００９２】
図８Ｄのユーザインタフェース４００は、パーソナル娯楽システム６００を含むものとして示されている。図８Ｄに図示するように、パーソナル娯楽システム６００は、インプットシステム４１０により設けられる通信ポート４５０を介してユーザインタフェース４００と着脱自在に繋がる。ユーザインタフェース４００は一つ又はそれ以上のシート裏ディスプレイシステム４４４Ｂを設けるが、娯楽装置３００からの情報はパーソナル娯楽システム６００のビデオシステム６４０を介して映像で提示されてもよい。同様にパーソナル娯楽システム６００はインプットシステム６１０を含み、該インプットシステム６１０は上記に説明したように娯楽装置３００に命令を与えるのに利用され得る。同様に、娯楽装置３００からの情報は、パーソナル娯楽システム６００のオーディオシステム６３０を介して音声により提示され得る。
【００９３】
パーソナル娯楽システム６００とユーザインタフェース４００との間の結合は有線接続として図示されているが、無線接続もパーソナル娯楽システム６００とユーザインタフェース４００を結合するために利用され得る。例えば好適な実施形態では、乗物８００内に搭載される娯楽装置３００は、ホットスポットを含んでもよい。ホットスポットは、アメリカ電気・電子通信学会（ＩＥＥＥ）スタンダード８０２．１１の綱要に従うワイヤレスフィディリティ（Ｗｉ−Ｆｉ）ネットワーク、及び／又はＩＥＥＥスタンダード８０２．１６に従うＷｉＭａｘ  Ｗｉｒｅｌｅｓｓ  Ｂｒｏａｄｂａｎｄとしても知られる無線メトロポリタンエリアネットワーク（ＭＡＮ）を含む、無線ＬＡＮ（ＷＬＡＮ）として設けられる。これにより、乗物８００に装備すると、パーソナル娯楽システム６００は娯楽装置３００との通信を自動的に確立でき、娯楽装置３００との通信は、パーソナル娯楽システム６００が乗物８００から離れると自動的に終了し得る。
【００９４】
上記に説明したように、パーソナル娯楽システム６００がユーザインタフェース４００から切り離されたとしても、パーソナル娯楽システム６００は娯楽装置３００を介してダウンロードされたファイルを保持するように構成されるのが好ましい。これにより、パーソナル娯楽システム６００が通信ポート４５０から切り離されても、ファイルはパーソナル娯楽システム６００を介して提示され得る。このことによって、乗物８００内の旅客が旅行中に選択されたファイルをダウンロードすれば、ファイルはパーソナル娯楽システム６００により格納されて保持され得る。これにより旅客は、乗物８００からパーソナル娯楽システム６００を取り外すことにより、旅行が終わり乗物８００を降りた後を含む、何時であってもファイルを見ることができる。
【００９５】
本発明は、種々の修正や別途の形態を許容するものであり、本発明の特別の例示は図面内に例として示すのであり本明細書に詳細に記述されている。本発明は開示する特定の形態若しくは方法に限定されるべきものではなく、むしろ本発明は請求項の精神及び範囲の内側の全ての修正、均等のもの、及び代案にわたるということが、理解されるべきである。
【図面の簡単な説明】
【００９６】
【図１】ファイルをダウンロードするための娯楽システムの実施形態の例示の最高位ブロック図である。
【図２Ａ】図１の娯楽システムのためのデータベースシステム及び娯楽装置の一つの実施形態を示す例示のブロック図であり、該ブロック図ではデータベースシステム及び娯楽装置は有線通信システムを介して繋がれている。
【図２Ｂ】図２Ａのデータベースシステム及び娯楽装置の別の実施形態を示す例示のブロック図であり、該ブロック図ではデータベースシステム及び娯楽装置は有線通信システムを介して繋がれている。
【図３Ａ】図１の娯楽システムのための娯楽装置の一つの実施形態を示す例示のブロック図であり、該ブロック図では娯楽装置は複数のデータベースシステムと通信するように構成されている。
【図３Ｂ】図３Ａの娯楽装置の別の実施形態を示す例示のブロック図である。
【図４Ａ】図１の娯楽システムのためのユーザインタフェースの一つの実施形態を示す例示のブロック図である。
【図４Ｂ】図４Ａのユーザインタフェースの別の実施形態を示す例示のブロック図である。
【図５】図１の娯楽システムのための娯楽装置を示す例示のブロック図であり、該ブロック図では娯楽装置は複数のユーザインタフェースを含む。
【図６Ａ】図４Ａのユーザインタフェースの一つの実施形態を示す例示のブロック図であり、該ブロック図ではユーザインタフェースはパーソナル娯楽システムを含む。
【図６Ｂ】図６Ａのユーザインタフェースの別の実施形態を示す例示のブロック図である。
【図７Ａ】図１の娯楽システムの一つの実施形態を示す詳細図であり、該図では娯楽装置は自動車に搭載されている。
【図７Ｂ】図７Ａの娯楽システムの別の実施形態を示す詳細図であり、該図では娯楽装置は飛行機に搭載されている。
【図８Ａ】図４Ａ−Ｂのユーザインタフェースの一つの実施形態を示す詳細図であり、該図では娯楽システムは乗物に搭載され、少なくとも一つのオーバヘッドディスプレイシステムを含むインタフェースビデオシステムを有する。
【図８Ｂ】図８Ａのユーザインタフェースの別の実施形態を示す詳細図であり、該図ではインタフェースビデオシステムは、オーバーヘッドディスプレイシステムとシートバックディスプレイシステムの組み合わせを含む。
【図８Ｃ】図８Ａのユーザインタフェースの更に別の実施形態を示す詳細図であり、該図ではインタフェースビデオシステムは少なくとも一つのシートバックディスプレイシステムを含む。
【図８Ｄ】図８Ａのユーザインタフェースの更に別の実施形態を示す詳細図であり、該図ではユーザインタフェースはパーソナル娯楽システムを含む。
【符号の説明】
【００９７】
１００・・・娯楽システム、２００・・・データベースシステム、２３０・・・インタネット、３００・・・娯楽装置、４００・・・インタフェースシステム。
【図１】
2006527540.tif 000003
【図２Ａ】
2006527540.tif 000004
【図２Ｂ】
2006527540.tif 000005
【図３Ａ】
2006527540.tif 000006
【図３Ｂ】
2006527540.tif 000007
【図４Ａ】
2006527540.tif 000008
【図４Ｂ】
2006527540.tif 000009
【図５】
2006527540.tif 000010
【図６Ａ】
2006527540.tif 000011
【図６Ｂ】
2006527540.tif 000012
【図７Ａ】
2006527540.tif 000013
【図７Ｂ】
2006527540.tif 000014
2006527540.tif 000015
2006527540.tif 000016
【国際調査報告】
2006527540.tif 000017
2006527540.tif 000018
2006527540.tif 000019